【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
開口部を有する筐体と、
前記開口部のシート材が挿入される挿入口に挿入された前記シート材の挿入方向前方に設けられた端面と、
前記シート材の情報を検出するシート材情報検出センサと、
前記シート材情報検出センサより前記端面の側に配置され、前記シート材の有無を検知する検知センサとを備え、
前記検知センサが前記シート材を検知した後、当該シート材が前記端面から離れる方向の引き抜き方向へ移動している際に前記シート材情報検出センサで検出を行うことを特徴とするシート材情報を検出する装置。
【請求項２】
請求項１のシート材情報を検出する装置において、
前記シート材情報検出センサは、複数回の検出を行うことを特徴とするシート材情報を検出する装置。
【請求項３】
請求項１または２のシート材情報を検出する装置において、
前記検知センサが前記シート材を検知すると光源を点灯する発光制御部を備え、
前記シート材情報検出センサは、前記開口部に挿入された前記シート材の表面に前記光源から光を照射し、前記シート材が反射または透過した光を受光器で受光して前記シート材の情報を検出することを特徴とするシート材情報を検出する装置。
【請求項４】
請求項３のシート材情報を検出する装置において、
前記シート材情報検出センサは、前記光源の発光後に複数回の検出を行い、
前記複数回の検出において、前記シート材の異なる箇所を検出することを特徴とするシート材情報を検出する装置。
【請求項５】
請求項３または４のシート材情報を検出する装置において、
前記発光制御部は、前記シート材情報検出センサによる前記シート材の検出が完了すると前記光源の発光を停止することを特徴とするシート材情報を検出する装置。
【請求項６】
請求項３乃至５の何れか一項に記載のシート材情報を検出する装置において、
前記光源は、レーザー光を照射することを特徴とするシート材情報を検出する装置。
【請求項７】
請求項３乃至６の何れか一項に記載のシート材情報を検出する装置において、
前記シート材情報検出センサは前記受光器を複数有しており、
前記光源より照射された光のうち、前記シート材において正反射された光を受光する前記受光器と、
前記光源より照射された光のうち、前記シート材において拡散反射された光を受光する前記受光器とを少なくとも含むことを特徴とするシート材情報を検出する装置。
【請求項８】
請求項３乃至６の何れか一項に記載のシート材情報を検出する装置において、
前記シート材情報検出センサは前記受光器を複数有しており、
複数の前記受光器のうち、前記シート材において反射された光のうち所定の偏光成分を受光する前記受光器を少なくとも含むことを特徴とするシート材情報を検出する装置。
【請求項９】
シート材に画像を形成する画像形成手段と、
前記シート材の情報を検出する前記シート材情報を検出する装置と、を備えた画像形成システムにおいて、
前記シート材情報を検出する装置として、請求項１乃至８の何れか一項に記載のシート材情報を検出する装置を備えることを特徴とする画像形成システム。
【請求項１０】
請求項９の画像形成システムにおいて、
前記シート材情報検出センサの検出結果に基づいて、前記画像形成手段の画像形成条件を変更することを特徴とする画像形成システム。
【手続補正２】
【補正対象書類名】明細書
【補正対象項目名】発明の名称
【補正方法】変更
【補正の内容】
【発明の名称】シート材情報を検出する装置及び画像形成システム
【手続補正３】
【補正対象書類名】明細書
【補正対象項目名】０００１
【補正方法】変更
【補正の内容】
【０００１】
本発明は、シート材情報を検出する装置及び画像形成システムに関するものである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明は以上の問題点に鑑みなされたものであり、その目的は、シート材の判別の精度が低下するのを抑制できるシート材判別装置、及び、そのシート材判別装置を備えた画像形成装置を提供することである。
【手続補正８】
【補正対象書類名】明細書
【補正対象項目名】００１２
【補正方法】変更
【補正の内容】
【００１２】
上記目的を達成するために、請求項１の発明は、開口部を有する筐体と、前記開口部のシート材が挿入される挿入口に挿入された前記シート材の挿入方向前方に設けられた端面と、前記シート材の情報を検出するシート材情報検出センサと、前記シート材情報検出センサより前記端面の側に配置され、前記シート材の有無を検知する検知センサとを備え、前記検知センサが前記シート材を検知した後、当該シート材が前記端面から離れる方向の引き抜き方向へ移動している際に前記シート材情報検出センサで検出を行うことを特徴とするものである。
【手続補正９】
【補正対象書類名】明細書
【補正対象項目名】００１３
【補正方法】変更
【補正の内容】
【００１３】
以上、本発明によれば、シート材の判別の精度が低下するのを抑制できるという優れた効果がある。
【手続補正１０】
【補正対象書類名】明細書
【補正対象項目名】００１４
【補正方法】変更
【補正の内容】
【００１４】
【図１】参考構成例１に係るシート材判別装置によるシート材判別制御の一例を示すフローチャート。
【図２】参考構成例１に係るシート材判別装置の一例を示す図。
【図３】（ａ）は開口部１０２にシート材Ｐを挿入したときのシート材判別装置の断面図、（ｂ）開口部からシート材を抜き取るときのシート材判別装置の断面図。
【図４】光学センサ及び処理装置を説明するための図。
【図５】面発光レーザーアレイを説明するための図。
【図６】シート材への照射光の入射角を説明するための図。
【図７】受光器１１３，１１４の配置位置を説明するための図。
【図８】（ａ）表面正反射光を説明するための図、（ｂ）表面拡散反射光を説明するための図、（ｃ）内部反射光を説明するための図。
【図９】受光器１１３，１１４で受光される光を説明するための図。
【図１０】偏光フィルタ１１６に入射する光を説明するための図。
【図１１】受光器１１５，１１８の配置位置を説明するための図。
【図１２】（ａ）開口部にシート材Ｐを挿入したときの実施形態に係るシート材判別装置の断面図、（ｂ）開口部からシート材を抜き取るときの実施形態に係るシート材判別装置の断面図。
【図１３】参考構成例２に係る画像形成システムの概略構成図。
【図１４】画像形成装置について説明する図。
【図１５】用紙後処理装置について説明する図。
【図１６】参考構成例２に係るシート材判別装置の一例を示す図。
【図１７】（ａ）シート材判別装置の開口部にシート材Ｐを挿入したときのシート材判別装置の断面図、（ｂ）シート材判別装置の開口部からシート材を抜き取るときのシート材判別装置の断面図。
【図１８】参考構成例２に係るシート材判別装置によるシート材判別制御の一例を示すフローチャート。
【手続補正１１】
【補正対象書類名】明細書
【補正対象項目名】００１５
【補正方法】変更
【補正の内容】
【００１５】
［参考構成例１］
図２は参考構成例１に係るシート材判別装置の一例を示す図である。
シート材判別装置１００は、外装ケース１０１の内側に、シート材Ｐの判別に用いる情報を検出するシート材情報検出センサ１１０やシート材Ｐの有無を検知するシート材検知センサ１４０や、シート材Ｐが載置されるシート材載置台１２０などを備えている。
【手続補正１２】
【補正対象書類名】明細書
【補正対象項目名】００２６
【補正方法】変更
【補正の内容】
【００２６】
光源１１１は、複数の発光部を有している。各発光部は、垂直共振器型の面発光レーザー（Ｖｅｒｔｉｃａｌ  Ｃａｖｉｔｙ  Ｓｕｒｆａｃｅ  Ｅｍｉｔｔｉｎｇ  Ｌａｓｅｒ：ＶＣＳＥＬ）である。すなわち、光源１１１は、面発光レーザーアレイ（ＶＣＳＥＬアレイ）を含んでいる。ここでは、一例として図５に示されるように、９個の発光部が２次元配列されている。
【手続補正１３】
【補正対象書類名】明細書
【補正対象項目名】００３０
【補正方法】変更
【補正の内容】
【００３０】
なお、参考構成例１では、シート材Ｐへの入射光だけでなく反射光に対してもＳ偏光及びＰ偏光という表現を用いるが、これは説明をわかりやすくするために、シート材Ｐへの入射光の偏光方向を基準とした表現である。そして、入射面内において入射光（ここでは、Ｓ偏光）と同一の偏光方向をＳ偏光、それに直交する偏光方向をＰ偏光と呼ぶこととする。
【手続補正１４】
【補正対象書類名】明細書
【補正対象項目名】００５２
【補正方法】削除
【補正の内容】
【手続補正１５】
【補正対象書類名】明細書
【補正対象項目名】００５３
【補正方法】削除
【補正の内容】
【手続補正１６】
【補正対象書類名】明細書
【補正対象項目名】００５６
【補正方法】変更
【補正の内容】
【００５６】
参考構成例１のように、反射光を受光する受光器１１３，１１４，１１５，１１８からの情報に加え、透過光を受光する受光器１６０からの情報も含めることで、より高精度なシート材Ｐの判別が可能になる。
【手続補正１７】
【補正対象書類名】明細書
【補正対象項目名】００５７
【補正方法】変更
【補正の内容】
【００５７】
図１は、参考構成例１に係るシート材判別装置１００によるシート材判別制御の一例を示すフローチャートであり、図１及び図３を用いてシート材判別制御について説明する。
【手続補正１８】
【補正対象書類名】明細書
【補正対象項目名】００６０
【補正方法】変更
【補正の内容】
【００６０】
このように、参考構成例１では、シート材判別装置１００の開口部１０２内でシート材Ｐをスライドさせて複数回シート材の情報を取得し、制御部６００でシート材Ｐの判別を行う（図１のＳ４）。
【手続補正１９】
【補正対象書類名】明細書
【補正対象項目名】００６３
【補正方法】変更
【補正の内容】
【００６３】
また、参考構成例１のシート材判別装置１００では、シート材情報検出センサ１１０によってシート材Ｐの情報検出を行うときにだけ、シート材情報検出センサ１１０を発光させる。これにより、シート材情報検出センサ１１０を常時発光させる場合よりも、シート材情報検出センサ１１０の寿命を延ばしたり、装置の無駄なエネルギー消費を抑えたりすることができる。
【手続補正２０】
【補正対象書類名】明細書
【補正対象項目名】００７３
【補正方法】変更
【補正の内容】
【００７３】
［実施形態］
図１２（ａ）は、開口部１０２にシート材Ｐを挿入したときの、実施形態に係るシート材判別装置１００の断面図である。図１２（ｂ）は、開口部１０２からシート材Ｐを抜き取るときの、実施形態に係るシート材判別装置１００の断面図である。
【手続補正２１】
【補正対象書類名】明細書
【補正対象項目名】００７４
【補正方法】変更
【補正の内容】
【００７４】
本実施形態のシート材判別装置１００においては、開口部１０２へのシート材挿入方向（図中矢印Ｃ方向）で、シート材情報検出センサ１１０とシート材検知センサ１４０とが順に並んで設けられている。すなわち、シート材情報検出センサ１１０とシート材検知センサ１４０とのシート材挿入方向における位置関係が、図３に示したシート材判別装置１００とは逆になっており、シート材検知センサ１４０がシート材情報検出センサ１１０よりも奥に位置している。
【手続補正２２】
【補正対象書類名】明細書
【補正対象項目名】００７５
【補正方法】変更
【補正の内容】
【００７５】
なお、本実施形態のシート材判別装置１００のその他の構成は、参考構成例１のシート材判別装置１００の構成と同じため、その説明は省略する。
【手続補正２３】
【補正対象書類名】明細書
【補正対象項目名】００７６
【補正方法】変更
【補正の内容】
【００７６】
次に、本実施形態のシート材判別装置１００におけるシート材判別制御について説明する。
【手続補正２４】
【補正対象書類名】明細書
【補正対象項目名】００８２
【補正方法】変更
【補正の内容】
【００８２】
本実施形態のように、シート材検知センサ１４０がシート材情報検出センサ１１０よりも奥に位置しているので、シート材検知センサ１４０によりシート材Ｐが検知されたときには、シート材情報検出センサ１１０と対向する位置にシート材Ｐが到達している。
【手続補正２５】
【補正対象書類名】明細書
【補正対象項目名】００８５
【補正方法】変更
【補正の内容】
【００８５】
［参考構成例２］
図１３は、参考構成例２に係る画像形成システムの概略構成図である。
図１３に示すように、画像形成システム１は、画像形成装置２と、用紙処理装置としての用紙後処理装置３とを備えている。
【手続補正２６】
【補正対象書類名】明細書
【補正対象項目名】０１２２
【補正方法】変更
【補正の内容】
【０１２２】
中折り位置に位置した用紙束は、中折り部３４によって、用紙搬送方向の中央部で中折りされる。中折り部３４では、中折り位置にある用紙束の用紙搬送方向中央部と対向する折りブレード３８が、図１５の右から左へ移動して、用紙束の用紙搬送方向中央部を折り曲げながら、下押圧ローラ３９と上押圧ローラ４０との間に押し込む。折りブレード３８は、モータによって駆動される。
【手続補正２７】
【補正対象書類名】明細書
【補正対象項目名】０１２５
【補正方法】変更
【補正の内容】
【０１２５】
図１６は、参考構成例２に係るシート材判別装置１００の一例を示す図である。なお、参考構成例２に係るシート材判別装置１００の基本的な構成は、参考構成例１に係るシート材判別装置１００の構成と同様のため、その説明は省略する。
【手続補正２８】
【補正対象書類名】明細書
【補正対象項目名】０１２６
【補正方法】変更
【補正の内容】
【０１２６】
参考構成例２のシート材判別装置１００は、画像形成装置２と通信ケーブル６０によって接続されており、シート材判別装置１００と画像形成装置２との間で通信可能になっている。
【手続補正２９】
【補正対象書類名】明細書
【補正対象項目名】０１３０
【補正方法】変更
【補正の内容】
【０１３０】
図１８は、参考構成例２に係るシート材判別装置１００によるシート材判別制御の一例を示すフローチャートであり、図１７及び図１８を用いてシート材判別制御について説明する。
【手続補正３０】
【補正対象書類名】明細書
【補正対象項目名】０１３３
【補正方法】変更
【補正の内容】
【０１３３】
このように、参考構成例２では、シート材判別装置１００の開口部１０２内でシート材Ｐをスライドさせて複数回シート材の情報を取得し、制御部６００によりシート材Ｐの判別を行う（図１８のＳ４）。
【手続補正３１】
【補正対象書類名】明細書
【補正対象項目名】０１３６
【補正方法】変更
【補正の内容】
【０１３６】
参考構成例２のシート材判別装置１００でも、シート材情報検出センサ１１０によってシート材Ｐの情報検出を行うときにだけ、シート材情報検出センサ１１０を発光させる。これにより、シート材情報検出センサ１１０を常時発光させる場合よりも、シート材情報検出センサ１１０の寿命を延ばしたり、装置の無駄なエネルギー消費を抑えたりすることができる。
【手続補正３２】
【補正対象書類名】明細書
【補正対象項目名】０１３７
【補正方法】変更
【補正の内容】
【０１３７】
なお、参考構成例２の画像形成システム１で用いられる画像形成装置２としては、デジタルコピー機や、プリンタや、オフセット印刷機などの周知の種々の画像形成装置を用いることができる。
【手続補正３３】
【補正対象書類名】明細書
【補正対象項目名】０１３８
【補正方法】変更
【補正の内容】
【０１３８】
また、画像形成装置２に設けられるシート材判別装置１００としては、実施形態に係るシート材判別装置１００を用いても良い。
【手続補正３４】
【補正対象書類名】図面
【補正対象項目名】図１２
【補正方法】変更
【補正の内容】
【図１２】
2018076185.tif 000001
【手続補正３５】
【補正対象書類名】図面
【補正対象項目名】図１５
【補正方法】変更
【補正の内容】
【図１５】
2018076185.tif 000002